(57)【要約】      （修正有）【課題】簡単かつ強固であり、パレット使用の運送が更に便利になる構造を持つ基板トレイを提供する。【解決手段】基板トレイの改良構造は、主に、トレイフレームの内突出縁上に複数の間隔をあけて配列した補強棒を固着し、更にその補強棒にトレイ板を嵌合、トレイ板及び両側トレイ板にはそれぞれ端防御部及び側辺防御部を突設して、トレイ板上に載せるガラス基板を保護する。また、トレイフレームの上底両面の凸辺及び凹辺は相互重合させる相対設計であり、積み重ねたトレイを搬送する為のパレットは二重パレットとし、その下層パレットには防振装置を設置、搬送中のガラス基板を保護、振動による損害を防止する。この他、上層パレット上面には密封板を固設、また別に、積み重ねたトレイを被らせし、防塵防水効果を持つ保護体を設ける。【選択図】図２
0003120042.tif 000002
【実用新案登録請求の範囲】
【請求項１】
基板トレイは、トレイ、二重パレット及び保護体を含み、それは、トレイが例えばガラス基板等を受け支え、複数のトレイは相互に積み重ねられて上下二重パレットの上に置かれて搬送されるものであり、その基板トレイは、トレイフレーム、補強棒及びトレイ板により構成され、トレイフレームには、内突出縁と外突出縁を設け、複数の補強棒は間隔をあけ配列した状態で相対するトレイフレームの内突出縁に固着、トレイ板は補強棒に嵌合、補強棒の両側は端圧接板に固着されることを特徴とする基板トレイの改良構造。  
【請求項２】
請求項１記載の基板トレイの改良構造において、前記トレイフレームの内突出縁には外縁突起面及び内窪面を設け、補強棒の両端を相対する二つの内窪面に固着すると、補強棒は相対する二つの外縁突起面が補強棒のテコ支点となり上向きに湾曲することを特徴とする基板トレイの改良構造。
【請求項３】
請求項１記載の基板トレイの改良構造において、前記補強棒は湾曲状態となっており、その両端がトレイフレームの内突出縁に固着されることにより、その湾曲部分は上向きになることを特徴とする基板トレイの改良構造。
【請求項４】
請求項１記載の基板トレイの改良構造において、前記トレイフレームの上底両面には相対する凸辺と凹辺を設け、トレイとトレイはその凸辺と凹辺を重合して複数層を成すことを特徴とする基板トレイの改良構造。
【請求項５】
請求項１記載の基板トレイの改良構造において、前記トレイ板及び内側トレイ板は、プラスチック発泡材料もしくはその他類似材料を用いて製造し、そのトレイ板両端には端防御部を突設、両側トレイ板には側辺防御部を突設することを特徴とする基板トレイの改良構造。
【請求項６】
請求項１記載の基板トレイの改良構造において、端防御部及び側辺防御部箇所に若干の防御片を付設する座板を設け、座板をトレイフレームの内突出縁に固着することを特徴とする基板トレイの改良構造。
【請求項７】
請求項１記載の基板トレイの改良構造において、前記トレイフレームの内突出縁には蓋板を固着し、重合させて複数層にするトレイの上層蓋とすることを特徴とする基板トレイの改良構造。
【請求項８】
請求項１記載の基板トレイの改良構造において、前記補強棒の表面に弾性プラスチックもしくは別の弾力性のある材料を加えることを特徴とする基板トレイの改良構造。
【請求項９】
請求項１記載の基板トレイの改良構造において、前記パレットは、上層パレット及び下層パレットを含み、その下層パレットの上フレームと下フレームの間には複数のゴム輪及びクッションにより構成される防振器もしくはバネ装置を具える防振棒を設けることを特徴とする基板トレイの改良構造。
【請求項１０】
請求項１記載の基板トレイの改良構造において、前記上層パレットには密封板を固設、積み重ねた基板トレイはその上層パレットに載せられ、並びに、別に設けた保護体を被らせ、その保護体の底縁内面及び下層パレット外側縁に設けた粘着テープで粘着固定すると、防塵防水となることを特徴とする基板トレイの改良構造。
【考案の詳細な説明】
【技術分野】
【０００１】
本考案は、基板トレイの改良構造について提案するものであり、特にその基板トレイの組み合わせは、簡単かつ強固であり、パレット使用の運送が更に便利になる構造を持つ。
【背景技術】
【０００２】
従来の基板トレイは、図1に示すとおりであり、概ね、四つの支持パーツ１０、一つのアルミ製方形フレーム２０及び二つのアルミ製支持部３０により構成されており、そのフレーム２０及び支持部３０両辺には開口突出縁を設け、二つの支持部３０を相対するフレーム２０の間に固設すると、第一開口３０ａが形成される。四つの支持パーツ１０はその３辺をフレーム２０及び支持部３０の開口突縁内にそれぞれ嵌入、また、フレーム２０の四つの角に当たる同一辺の二つの支持パーツ１０間には第二開口３０ｂを形成、その基板トレイは、使用において、四つの支持パーツ１０が液晶ディスプレイガラス基板を支え、各支持パーツ１０には開口１０ａ、開口１０ｂ、開口１０ｃ、開口１０ｄを設けて周辺機器の設計によって支持パーツ１０上のガラス基板を取り出したり置いたりする。
しかしながら、従来の基板トレイの支持パーツ１０は、その辺をフレーム２０と支持部３０の開口突出縁内に嵌入組み合わせたものであり、固定設計ではなく、同一辺の二つの支持パーツ１０は第二開口３０ｂが原因で偏移し易く、使用効果に影響を与えている。
【考案の開示】
【考案が解決しようとする課題】
【０００３】
本考案は基板トレイの改良構造を提案することを目的とする。それは主に、トレイフレーム１、補強棒２及びトレイ板３を含む構造であり、トレイフレーム１は内突出縁１１と外突出縁１２を含み、複数の補強棒２は間隔をあけて配列した状態で相対するトレイフレーム１の内突出縁１１上に固着、トレイ板３は、底面の溝が補強棒２上と嵌合する設計であり、端圧接板４は、内突出縁１１に固設してトレイ板３両端を固定する。また、トレイは、間隔をあけて配列するトレイ板３がガラス基板５を支え、実施例で補強棒２は、上向きに湾曲した状態であり、この時、ガラス基板５は垂直の重量により下向きの力を受けることがなく、トレイとトレイは上面の凸辺１３と底面の凹辺１４箇所が相互に重合、複数層を積み重ねる設計であり、蓋板１５と保護体７を加えるとパレット搬送できることをその特徴とする。
【課題を解決するための手段】
【０００４】
請求項１の考案は、基板トレイは、トレイ、二重パレット及び保護体を含み、それは、トレイが例えばガラス基板等を受け支え、複数のトレイは相互に積み重ねられて上下二重パレットの上に置かれて搬送されるものであり、その基板トレイは、トレイフレーム、補強棒及びトレイ板により構成され、トレイフレームには、内突出縁と外突出縁を設け、複数の補強棒は間隔をあけ配列した状態で相対するトレイフレームの内突出縁に固着、トレイ板は補強棒に嵌合、補強棒の両側は端圧接板に固着されることを特徴とする基板トレイの改良構造としている。
請求項２の考案は、請求項１記載の基板トレイの改良構造において、前記トレイフレームの内突出縁には外縁突起面及び内窪面を設け、補強棒の両端を相対する二つの内窪面に固着すると、補強棒は相対する二つの外縁突起面が補強棒のテコ支点となり上向きに湾曲することを特徴とする基板トレイの改良構造としている。
請求項３の考案は、請求項１記載の基板トレイの改良構造において、前記補強棒は湾曲状態となっており、その両端がトレイフレームの内突出縁に固着されることにより、その湾曲部分は上向きになることを特徴とする基板トレイの改良構造としている。
請求項４の考案は、請求項１記載の基板トレイの改良構造において、前記トレイフレームの上底両面には相対する凸辺と凹辺を設け、トレイとトレイはその凸辺と凹辺を重合して複数層を成すことを特徴とする基板トレイの改良構造としている。
請求項５の考案は、請求項１記載の基板トレイの改良構造において、前記トレイ板及び内側トレイ板は、プラスチック発泡材料もしくはその他類似材料を用いて製造し、そのトレイ板両端には端防御部を突設、両側トレイ板には側辺防御部を突設することを特徴とする基板トレイの改良構造としている。
請求項６の考案は、請求項１記載の基板トレイの改良構造において、端防御部及び側辺防御部箇所に若干の防御片を付設する座板を設け、座板をトレイフレームの内突出縁に固着することを特徴とする基板トレイの改良構造としている。
請求項７の考案は、請求項１記載の基板トレイの改良構造において、前記トレイフレームの内突出縁には蓋板を固着し、重合させて複数層にするトレイの上層蓋とすることを特徴とする基板トレイの改良構造としている。
請求項８の考案は、請求項１記載の基板トレイの改良構造において、前記補強棒の表面に弾性プラスチックもしくは別の弾力性のある材料を加えることを特徴とする基板トレイの改良構造としている。
請求項９の考案は、請求項１記載の基板トレイの改良構造において、前記パレットは、上層パレット及び下層パレットを含み、その下層パレットの上フレームと下フレームの間には複数のゴム輪及びクッションにより構成される防振器もしくはバネ装置を具える防振棒を設けることを特徴とする基板トレイの改良構造としている。
請求項１０の考案は、請求項１記載の基板トレイの改良構造において、前記上層パレットには密封板を固設、積み重ねた基板トレイはその上層パレットに載せられ、並びに、別に設けた保護体を被らせ、その保護体の底縁内面及び下層パレット外側縁に設けた粘着テープで粘着固定すると、防塵防水となることを特徴とする基板トレイの改良構造としている。
【考案の効果】
【０００５】
本考案は、簡単かつ強固であり、パレット使用の運送が更に便利になる構造を持つことを特徴とする。
【考案を実施するための最良の形態】
【０００６】
図２〜８に示すとおり、本考案の基板トレイの改良構造は、主に、トレイフレーム１、補強棒２及びトレイ板３により構成され、トレイフレーム１には、内突出縁１１と外突出縁１２を設け、補強棒２は間隔をあけて配列した状態で、トレイフレーム１の内突出縁１１に固着、トレイ板３は底面溝３１を補強棒２に嵌合する設計であり、また、端圧接板４を内突出縁１１に固着してトレイ板３の両端を固定し、使用においては、トレイ板３がガラス基板５を支える。
【０００７】
前記トレイ板３は、実施例ではプラスチック発泡材料もしくはその他類似材料を用いて製造する。トレイ板３両端近くに突出した端防御部３２を設け、トレイフレーム１両内側に設置する両側トレイ板３３とトレイ板３は同一材料とし、また、側辺防御部３４を突設する両側トレイ板３３は、長棒状の側辺圧接板３５を固定し、ガラス基板５をトレイ板３上に置く場合は、その四辺は端防御部３２及び側辺防御部３４内に動かないよう止められる。実施例では、端防御部３２及び側辺防御部３４箇所に若干の防御片３７を付設する座板３６を設けることも可能であり、その座板３６をトレイフレーム１の内突出縁１１に固着すると、ガラス基板５とトレイフレーム１の衝突による破損危険を防止できる。
【０００８】
実施例では、前記トレイフレーム１の内突出縁１１に外縁突起面１１０及び内窪面１１１を設け、補強棒２の両端を相対する二つの内窪面１１１に固定すると、補強棒２は相対する二つの外縁突起面１１０が補強棒２のテコ支点となり上向きに湾曲、この力がガラス基板５を補強棒２上に置くと起きる垂直方向の圧力に抵抗する為、ガラス基板５を載せた補強棒２は、下向きにへこむことがない。また、補強棒２は上向きに湾曲して弾性を起こし、ガラス基板５を運送している最中に地面が凸凹していて飛び上がってしまっても、その弾力故に、緩和作用が起きる為、ガラス基板５の破損危険性を減少させることができる。
【０００９】
実施例では、前記補強棒２は、直接湾曲形成することもできる。その両端をトレイフレーム１の内突出縁１１に固着すると、その湾曲面は上向きになる。
また実施例では、補強棒２はその表面に弾性プラスチック２１もしくは別の弾力性のある材料を加えることも可能であり、補強棒２にプラスチック発泡を嵌合したトレイ板３もしくは直接弾性プラスチック２１をガラス基板５のクッションとする。
【００１０】
前記トレイフレーム１の上底両面には、相対する凸辺１３と凹辺１４を設け、トレイとトレイは、その凸辺１３と凹辺１４を相互に重合する為、複数層に安定して積み重ね、最も上層のトレイフレーム１には蓋板１５を固着する。
【００１１】
前記複数層に積み重ねたトレイフレーム１は、二重パレット６によって搬送される。下層パレット６２の上フレーム６３と下フレーム６４間には、防振装置を設置、その防振装置は、複数のゴム輪６５及びクッション６６で構成された防振器もしくはバネ装置を具える防振棒とすることも可能で、上層パレット６１上のトレイフレーム１を運送する場合、その防振作用により、トレイフレーム１内に置いたガラス基板５は振動による破損を防止することができる。
【００１２】
実施例では、前記上層パレット６１上面には密封板６７を固設、上層パレット６１に載せる複数層のトレイフレーム１には、保護体７を被らせ、並びに保護体７の底縁内面及び上フレーム６３周辺に設けた粘着テープ７１により粘着固定、積み重ねたトレイフレーム１は、上層パレット６１の密封板６７と保護体７の間に密封された状態となり、防塵防水効果を達成する。
【図面の簡単な説明】
【００１３】
【図１】従来品基板トレイの構造説明図である。
【図２】本考案に関する基板トレイの一部分解図及びトレイフレームの断面図である。
【図３】本考案に関するトレイフレーム、補強棒及び防御片の拡大見取図である。
【図４】本考案に関する補強棒の上向きに湾曲時の見取図である。
【図５】本考案に関するトレイフレームに蓋板を固着した見取図である。
【図６】本考案に関する相互に重合させた基板トレイフレームの断面図である。
【図７】本考案に関する、相互に重合して二重パレット上に積載した複数のトレイ及びその保護体の構造見取図である。
【図８】本考案に関する上層パレット、下層パレットの構造見取図である。
【符号の説明】
【００１４】
１０          支持パーツ
２０          フレーム
３０          支持部
１０ａ、１０ｂ、１０ｃ、１０ｄ    開口
３０ａ        第一開口
３０ｂ        第二開口
１            トレイフレーム
２            補強棒
３            トレイ板
４            端圧接板
５            ガラス基板
６            二重パレット
７            保護体
１１          内突出縁
１２          外突出縁
１３          凸辺
１４          凹辺
１５          蓋板
２１          弾性プラスチック
３１          底面溝
３２          端防御部
３３          両側トレイ板
３４          側辺防御部
３５          側辺圧接板
３６          座板
３７          防御片
６１          上層パレット
６２          下層パレット
６３          上フレーム
６４          下フレーム
６５          ゴム輪
６６          クッション
６７          密封板
７１          粘着テープ
１１０        外縁突起面
１１１        内窪面
【図１】
0003120042.tif 000003
【図２】
0003120042.tif 000004
【図３】
0003120042.tif 000005
【図４】
0003120042.tif 000006
【図５】
0003120042.tif 000007
【図６】
0003120042.tif 000008
【図７】
0003120042.tif 000009
【図８】
0003120042.tif 000010